(57)【要約】【課題】  ある程度の時間の継続した撮影を行うために必要な電源オフ時間を表示することにより、ユーザが撮像装置での撮影計画を立てやすい表示を行うことのできる表示制御装置を提供する。【解決手段】  撮像装置の撮像素子の測定温度と、前記撮像装置の環境温度とを取得する取得手段と、  前記取得手段で取得した前記測定温度と前記環境温度とに基づいて、前記撮像素子を設定時間以上連続動作させるために前記撮像素子の動作をオフしなければならないオフ時間を表示手段に表示するように制御する表示制御手段とを有することを特徴とする。【選択図】  図３
2014110506.tif 000002
【特許請求の範囲】
【請求項１】
撮像装置の撮像素子の測定温度と、前記撮像装置の環境温度とを取得する取得手段と、
前記取得手段で取得した前記測定温度と前記環境温度とに基づいて、前記撮像素子を設定時間以上の連続動作をさせるために前記撮像素子の動作をオフしなければならないオフ時間を表示手段に表示するように制御する表示制御手段と
を有することを特徴とする表示制御装置。
【請求項２】
前記取得手段は更に前記撮像素子の動作モードを取得し、
前記オフ時間は前記測定温度と前記環境温度に加えて前記動作モードも加味して決定されることを特徴とする請求項１に記載の表示制御装置。
【請求項３】
前記動作モードは、前記撮像素子で撮像される画像の解像度とフレームレートの少なくとも一方を含むことを特徴とする請求項２に記載の表示制御装置。
【請求項４】
前記設定時間は、ユーザーから入力された設定時間であることを特徴とする請求項１乃至３の何れか１項に記載の表示制御装置。
【請求項５】
前記測定温度、前記環境温度とに基づいて、前記撮像素子の温度変化を予測する予測手段をさらに有することを特徴とする請求項１乃至４の何れか１項に記載の表示制御装置。
【請求項６】
前記表示制御手段は更に、前記測定温度と前記環境温度とに基づいて、前記撮像素子の残り動作可能時間を表示するように制御することを特徴とする請求項１乃至５の何れか１項に記載の表示制御装置。
【請求項７】
前記取得手段は、前記環境温度を測定することによって前記環境温度を取得することを特徴とする請求項１乃至６の何れか１項に記載の表示制御装置。
【請求項８】
前記取得手段は、ユーザーからの入力された環境温度を前記環境温度として取得することを特徴とする請求項１乃至６の何れか１項に記載の表示制御装置。
【請求項９】
前記取得手段は、前記撮像装置に備えられたタッチパネルコントローラから前記環境温度を取得することを特徴とする請求項１乃至８の何れか１項に記載の表示制御装置。
【請求項１０】
前記撮像素子と、該撮像素子の温度を測定する測定手段とを有することを特徴とする請求項１乃至９の何れか１項に記載の表示制御装置。
【請求項１１】
撮像装置の撮像素子の測定温度と、前記撮像装置の環境温度とを取得する取得ステップと、
前記取得ステップで取得した前記測定温度と前記環境温度とに基づいて、前記撮像素子を設定時間以上の連続動作をさせるために前記撮像素子の動作をオフしなければならないオフ時間を表示手段に表示するように制御する表示制御ステップと
を有することを特徴とする表示制御装置の制御方法。
【請求項１２】
コンピュータを、請求項１乃至１０のいずれか１項に記載された表示制御装置の各手段として機能させるためのプログラム。
【請求項１３】
コンピュータを、請求項１乃至１０のいずれか１項に記載された表示制御装置の各手段として機能させるためのプログラムを格納したコンピュータが読み取り可能な記憶媒体。
【発明の詳細な説明】
【技術分野】
【０００１】
本発明は温度センサを備える撮像装置に関する情報を表示するための表示制御装置に関するものである。
【背景技術】
【０００２】
大判センサを撮像素子として用いた撮像装置では、撮像素子を連続駆動して撮影画像を表示装置に連続して表示させた場合、環境温度によっては撮像素子の温度が許容温度を超えてしまい、撮像素子の電源をオフして温度が下がるのを待つ必要がある。従来の撮像装置では撮影素子の温度を監視し、撮像素子の温度が許容温度に達するまでの時間を表示装置に表示して、ユーザにあとどのくらい撮像装置が使用可能であるかを表示するものがある（特許文献１）。
【先行技術文献】
【特許文献】
【０００３】
【特許文献１】特開２００９−０３３５０８号公報
【発明の概要】
【発明が解決しようとする課題】
【０００４】
しかしながら、上記従来例ではあとどれだけ撮像装置が使用可能かをユーザに示すことができるが、表示された使用可能時間がユーザにとって少ない場合、撮像素子をどのくらい電源オフすればよいのか分からないため、撮影計画を立てるのが困難であった。
【０００５】
そこで本発明は、ある程度の時間の継続した撮影を行うために必要な電源オフ時間を表示することにより、ユーザが撮像装置での撮影計画を立てやすい表示を行うことのできる表示制御装置を提供することを目的とする。
【課題を解決するための手段】
【０００６】
上記課題を解決するために，本発明の表示制御装置は、
撮像装置の撮像素子の測定温度と、前記撮像装置の環境温度とを取得する取得手段と、
前記取得手段で取得した前記測定温度と前記環境温度とに基づいて、前記撮像素子を設定時間以上連続動作させるために前記撮像素子の動作をオフしなければならないオフ時間を表示手段に表示するように制御する表示制御手段と
を有することを特徴とする。
【発明の効果】
【０００７】
本発明の表示制御装置によれば、ある程度の時間の継続した撮影を行うために必要な電源オフ時間を表示することにより、ユーザが撮影計画を立てやすくなる。
【図面の簡単な説明】
【０００８】
【図１】本発明のビデオカメラの概略構成ブロック図ある。
【図２】電源ＯＦＦ時間を表示するためのフローチャートである。
【図３】電源ＯＦＦ時間の表示例である。
【図４】撮像素子の温度の時間推移と、必要ＯＦＦ時間、動作可能時間の時間推移の例である。
【発明を実施するための形態】
【０００９】
以下、図面を参照して本発明の好適な実施形態を説明する。
【００１０】
図１は、本発明の一実施例であるビデオカメラの概略構成ブロック図を示す。撮影レンズ１０１は、被写体の光学像を撮像素子１０２の撮像面上に結像する。撮像素子１０２は、撮影レンズ１０１による光学像を電気画像信号に変換する。ＡＤ変換器１０３は、撮像素子１０２からのアナログ画像信号をデジタル信号に変換する。制御部１０５は、ＡＤ変換器１０３からの画像データを、バッファメモリ１０４に一時格納する。制御部１０５は、撮像素子１０２による撮影画像（ＡＤ変換器１０３からの画像データ）を所定の圧縮符号化方式で圧縮符号化する圧縮手段を具備する。この圧縮手段で圧縮された画像データはバッファメモリ１０４に一時格納される。そして、制御部１０５は、バッファメモリ１０４に一時記憶される圧縮画像データを適宜に読み出して、記録媒体である半導体メモリ１０９（メモリーカード等）に格納する。不揮発性メモリ１１１は制御部１０５の動作用の各種プログラムや変数を格納した記録媒体である。システムメモリ１１２は、制御部１０５のワークメモリとして用いられる一時記憶用の揮発性記録媒体である。スイッチやボタンで構成される入力装置１０８はユーザからの入力を電気的な信号に変換し、制御部１０５に通知する。撮影画像やビデオカメラの状態は制御部１０５によって表示装置であるＬＣＤ１１０上に表示される。また、本実施例のビデオカメラは、撮像素子温度センサ１０６と環境温度センサ１０７を具備する。撮像素子温度センサ１０６は撮像素子１０２の表面や近傍に配置され、撮像素子１０２の温度を検出し、検出値を制御部１０５に供給する。環境温度センサ１０７はビデオカメラ内の熱源から離れた位置に配置され、環境温度を検出し、検出値を制御部１０５に供給する。
【００１１】
図２は本発明の実施形態を表すフローチャートである。本実施形態では、ユーザが設定した動作時間ｔ１だけ動作するために必要な撮像素子１０２のオフ時間ｔＯＦＦ、撮像素子１０２の動作時間ｔＯＮを表示する例を説明する。このフローチャートは、不揮発性メモリ１１１に記録されたプログラムをシステムメモリ１１２に展開して制御部１０５が実行することで実現する。以下にそれぞれの記号の意味を記述する。
Ｔｈ：撮像素子１０２が正常動作可能な上限温度
Ｔｓ：撮像素子温度センサ１０６によって測定された撮像素子１０２の温度
Ｔ０：環境温度センサ１０７によって測定された環境温度
ｔ１：ユーザーが設定した動作時間（設定時間）
ｔ３：撮像素子１０２が動作中の際に、撮像素子温度Ｔｓが環境温度Ｔ０から正常動作可能な上限温度Ｔｈまで上昇するまでの時間
ｔＯＦＦ：ユーザが設定した動作時間ｔ１以上連続動作できるようになるために撮像素子１０２が必要なオフ時間
撮像素子を設定時間以上の連続動作をさせるために前記撮像素子の動作をオフしなければならないオフ時間
ｔＯＮ：撮像素子１０２の動作可能時間
フローチャートに沿って実施形態の動作説明を行う。
【００１２】
Ｓ２０１では制御部１０５が撮像素子温度センサ１０６を用いて撮像素子温度Ｔｓを、環境温度センサ１０７を用いて環境温度Ｔ０を測定する。
【００１３】
Ｓ２０２では制御部１０５によってユーザが入力装置１０８を介して動作時間ｔ１を設定したかどうかの確認が行われる。ｔ１が設定されていれば、不揮発性メモリ１１１あるいはシステムメモリ１１２にｔ１としての有効な値が格納されているものとする。ユーザによってｔ１が設定されていない場合は本処理終了し、ｔ１が設定されている場合にはＳ２０３に進む。
【００１４】
Ｓ２０３では、制御部１０５によって撮像素子１０２の電源が入っているかどうかの確認が行われる。撮像素子１０２の電源が入っていない場合（駆動していない場合）はＳ２１０に進み、撮像素子１０２の電源が入っている、すなわち撮影を行っている場合はＳ２０４に進む。ここで、撮像素子１０２の電源が入っていて撮影を行っている場合とは、画像の記録中（動画撮影中など）と、ライブビュー画像を表示している撮影待機中（半導体メモリ１０９への記録は行って以内場合）の双方を含む。
【００１５】
Ｓ２０４では、制御部１０５は撮像素子温度Ｔｓと正常動作可能な上限温度Ｔｈの比較を行う。Ｔｓ＜Ｔｈの場合は撮像素子１０２の温度は上限に達しておらず、まだ撮影を継続できる。この場合はＳ２０５に進む。一方Ｔｓ≧Ｔｈの場合、撮像素子１０２の温度は上限に達しているので、Ｓ２１２に進んで撮像素子１０２の電源を切る。Ｓ２１２で撮像素子の電源を切るとＳ２１０に進む。
【００１６】
Ｓ２０５では、制御部１０５は撮像素子１０２の動作モードを取得する。ここでいう撮像素子１０２の動作モードとは１９２０ｘ１０８０や１２８０ｘ７２０など画面の解像度や６０ｉや２４Ｐなどフレームレートのことである。撮像素子１０２は読み出し範囲や読み出し速度の相違によって消費電力が変化するため、撮像素子温度Ｔｓの上昇の仕方も異なってくる。
【００１７】
Ｓ２０６では、制御部１０５は、Ｓ２０５で取得した撮像素子１０２の動作モードから、あらかじめ各動作モードごとに持っている撮像素子１０２の消費電力テーブルを参照することによって、撮像素子１０２の消費電力を推定する。
【００１８】
Ｓ２０７では、制御部１０５は、撮像素子１０２の消費電力を元に撮像素子温度Ｔｓが環境温度Ｔ０から正常動作可能な上限温度Ｔｈまで上昇するまでの時間ｔ３を計算する。
【００１９】
Ｓ２０８では、制御部１０５は、ｔ３とｔ１の比較を行う。ｔ３≧ｔ１である場合はＳ２１０に進む。一方、ｔ３＜ｔ１の場合はＳ２０９に進み、制御部１０５はＬＣＤ１１０上にユーザが設定した動作時間ｔ１の時間分の継続使用はできない旨のメッセージを表示することによってユーザにエラー通知を行う。Ｓ２０９でエラー通知を行った後はＳ２０３に進み、引き続き撮像素子１０２の電源を切るべき温度になったかの判定を行う。
【００２０】
Ｓ２１０では、制御部１０５は、環境温度Ｔ０、撮像素子温度Ｔｓから、ユーザが設定した動作時間ｔ１だけ動作するために撮像素子１０２が必要なオフ時間ｔＯＦＦと撮像素子１０２の動作可能時間ｔＯＮを算出して決定する。なお、Ｓ２０５で取得した動作モードを加味して算出・決定を行っても良い。
【００２１】
Ｓ２１１では、制御部１０５は、ＬＣＤ１１０に、Ｓ２１０で算出したｔＯＦＦとｔＯＮを表示を行う。その後Ｓ２０２に進み処理を繰り返す。
【００２２】
図３に、撮像素子１０２での撮像を行っている場合のＳ２１１での表示例（すなわちＳ２０３からＳ２０４〜Ｓ２０８，Ｓ２１０を経由した場合の表示例）を示す。
【００２３】
図３（ａ）は、ＬＣＤ１１０にｔＯＦＦとｔＯＮの同時表示を行った際の表示例である。ＬＣＤ１１０には撮像素子１０２で撮像されているライブビュー画像３０１（撮影待機中または撮影中のもの）が表示される。また、ユーザーが設定した動作時間ｔ１（３０２）、ｔ１だけ動作するのに必要なオフ時間ｔＯＦＦ（３０３）、撮像素子１０２の残りの動作可能時間ｔＯＮ（３０４）が表示される。なお、撮像素子１０２の残りの動作可能時間ｔＯＮ（３０４）を表示しない構成としても良い。この場合は図３（ｂ）のような表示となり、また、上述のフローチャートにおけるｔＯＮを算出する処理も不要である。
【００２４】
図４は、撮像素子温度Ｔｓ、撮像素子１０２が必要なオフ時間ｔＯＦＦと撮像素子１０２の動作可能時間ｔＯＮの時間推移の例を示したものである。この例は、環境温度Ｔ０でビデオカメラの電源を立ち上げ、撮像素子１０２が環境温度Ｔ０から上限温度Ｔｈに達した後、撮像素子１０２の電源が落とされ環境温度Ｔ０に近づくまでのものである。図４内の記号の意味は以下の通りである。
Ｔ１：撮像素子１０２が動作中にＴ０からＴｈに達する時間ｔ３からユーザが設定した動作時間ｔ１だけ前の時刻の撮像素子１０２の温度
ｔ２：撮像素子１０２が電源オフ中にＴｈからＴ１に達するまでの時間
【００２５】
図４（Ａ）は撮像素子温度Ｔｓの時間推移を示している。時刻０でビデオカメラの電源が入れられ、撮像素子１０２も動作を開始する。この時の撮像素子温度Ｔｓは環境温度と同じＴ０となる。時刻（ｔ３−ｔ１）では撮像素子温度ＴｓはＴ１に達し、時刻ｔ３では上限温度であるＴｈまで上昇する。制御部１０５は撮像素子１０２の消費電力と、撮像素子温度Ｔｓと環境温度Ｔ０の差である（Ｔｓ−Ｔｏ）ごとに温度変化推移テーブルを持っている。撮像素子温度Ｔｓの上昇カーブは環境温度Ｔ０、現在の撮像素子温度、撮像素子１０２の動作モードから前述の温度変化推移テーブルを参照することによって予測することが可能で、これを元にｔ３、ｔＯＮと撮像素子１０２が電源オン時のｔＯＦＦの計算を行う。撮像素子温度Ｔｓが上限温度Ｔｈに達すると、制御部１０５が撮像素子１０２の電源をオフすることによって、撮像素子温度Ｔｓは下降を始める。その後、撮像素子温度Ｔｓは時刻（ｔ３＋ｔ２）にＴ１に達し、環境温度Ｔ０に近づいていく。撮像素子温度Ｔｓの下降カーブは環境温度Ｔ０、現在の撮像素子温度から前述の温度変化推移テーブルを参照することによって予想することが可能で、これを元にｔ２と撮像素子１０２が電源オフ時のｔＯＦＦの計算を行う。
【００２６】
図４（Ｂ）は撮像素子１０２がユーザが設定した動作時間ｔ１だけ動作するために必要なオフ時間ｔＯＦＦの時間推移を示したものである。時刻０から（ｔ３−ｔ１）までの間は撮像素子１０２がユーザが設定した動作時間ｔ１以上の連続動作が可能であるので、ｔＯＦＦは０のままとなる。ｔＯＦＦは時刻（ｔ３−ｔ１）から増加を始め、時刻ｔ３で撮像素子１０２の温度は上限温度Ｔｈに達するため、ｔＯＦＦは撮像素子１０２が電源オフ中にＴｈからＴ１に達するまでの時間ｔ２と等しくなる。その後、撮像素子１０２の電源がオフされるのでｔＯＦＦは減少していき、時刻（ｔ３＋ｔ２）では撮像素子温度Ｔｓが時刻（ｔ３−ｔ２）の際と同じＴ１になるので、撮像素子１０２はｔ１以上の連続動作が可能となり、ｔＯＦＦは再び０となる。
【００２７】
図４（Ｃ）は撮像素子１０２が動作可能な時間ｔＯＮの時間推移を示したものである。時刻０では、時刻ｔ３で撮像素子１０２の温度が上限温度Ｔｈに達するため、ｔＯＮはｔ３となる。時刻（ｔ３−ｔ１）ではｔ１、時刻ｔ３では０というようにｔＯＮは時間経過と同じ分だけ減少していく。時刻ｔ３で撮像素子１０２の電源がオフされ、ｔＯＮが増加を始める。時刻（ｔ３＋ｔ２）で撮像素子の温度がＴ１となるため、ｔＯＮはｔ１となり、その後ｔ３に徐々に近づいていく。
【００２８】
なお、上述の例ではｔ１はユーザーが設定するものとして説明したが、予め定められた時間として不揮発性メモリ１１１に記録された時間であってもよい。例えば３０分程度のある程度の動作可能時間をｔ１として初期設定しておくことが可能である。
【００２９】
以上説明した本実施形態によれば、ある程度の時間ｔ１の継続した撮影を行うために必要な電源オフ時間ｔＯＦＦと撮像素子１０２の残りの動作可能時間ｔＯＮをＬＣＤ１１０に表示する。そのため、残りの連続撮影可能時間はどの程度であるか、ｔ１の連続撮影を行うためにはどのぐらい撮像素子を休ませなければならないかをユーザーが把握することができ、ユーザが撮影計画を立てやすくなる。
【００３０】
なお、本実施例では環境温度Ｔ０は環境温度センサ１０７を用いて測定したが、入力装置１０８を用いてユーザが設定してもよい。屋外での撮影が予定されている場合、天気予報などであらかじめ想定される外気温を入力することによってｔＯＦＦとｔＯＮを把握することができ、事前に撮影計画を立てることが可能になる。
【００３１】
また、本実施例では環境温度Ｔ０は環境温度センサ１０７を用いて測定したが、ビデオカメラのＬＣＤ１１０上に搭載されることの多いタッチパネルコントローラに内蔵される温度センサを用いて環境温度Ｔ０を取得してもよい。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３２】
なお、制御部１０５が行うものとして説明した上述の制御は１つのハードウェアが行ってもよいし、複数のハードウェアが処理を分担することで、装置全体の制御を行ってもよい。
【００３３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３４】
また、上述した実施形態においては、本発明をデジタルビデオカメラに適用した場合を例にして説明したが、これはこの例に限定されず撮像手段を有する撮像装置であれば適用可能である。また、撮像装置を遠隔で制御するような装置で、撮像装置の有する撮像素子の測定温度を撮像装置から取得可能な表示制御装置にも適用可能である。すなわち、本発明はデジタル一眼レフカメラ、デジタルカメラ、パーソナルコンピュータやＰＤＡ、携帯電話端末や携帯型の画像ビューワ、音楽プレーヤー、ゲーム機、電子ブックリーダーなどに適用可能である。
【００３５】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014110506.tif 000003
【図２】
2014110506.tif 000004
【図３】
2014110506.tif 000005
【図４】
2014110506.tif 000006